(57)【特許請求の範囲】
【請求項１】
それぞれ上部および上部から外に伸びるフランジを有する、少なくとも４個の類似した製品を含む包装物であって、
該製品が２列に配置され、隣接する製品のフランジが互いに接続これ、
該フランジが、４個の製品の隣接するフランジ同士の間に開口部有するように成型され、
トップパネルおよび折り線に沿ってトップパネルに接続された対向するサイドパネルフラップを有するキャリヤーを備え、
該サイドパネルフラップがスロットを有し、該スロットを通して、隣接する製品の隣接するフランジの一部が伸びており、
該トップパネルが、製品の隣接するフランジ同士の間の開口部と実質的に整列する指穴を有し、
該トップパネルが、該指穴の覆うタブを含み、
該タブが折り線に沿って該トップパネルに接続され、
該タブが、該指穴に対応するサイズおよび形状を有することにより、該包装物が該指穴によって持ち上げられた際に、該タブが隣接した４個の製品の間の該開口部を通して折り下げられ、隣接した２個の製品の隣接した該フランジの下側部に向けて上方向に折り曲げることができる包装物。
【請求項２】
各製品の該フランジが、４つの実質的に直線的な縁部に沿って伸び、各製品の対抗するフランジ縁部が実質的に平行であり、各製品の各フランジ縁部が、ある角度の付いた縁部により、それらの隣接する縁部に接続され、製品の隣接する角度の付いた縁部同士の間に空間が形成され、前記空間が製品間の開口部を含む請求項１の包装物。
【請求項３】
該タブを該トップパネルに接続する該折り線が、該製品間の開口部の角度を有する隣接した縁部同士の間に伸びた請求項２の包装物。
【請求項４】
該トップパネルが、該サイドパネルフラップ中のスロットを通じて伸びたフランジの一部を覆う延長部を含む請求項１の包装物。
【請求項５】
隣接する２個の製品の隣接するフランジの下側部に対向する該タブが、隣接する２個の製品の隣接するフランジの下側部に対向して接する該タブの面を有する請求項１の包装物。
【請求項６】
隣接した４個の製品の間の該開口部を通して折り下げられるとともに、隣接した２個の製品の隣接した該フランジの下側部に向けて上方向に折り曲げられる該タブが、実質的に１８０度の角度に折り曲げられる該フランジを有する請求項１の包装物。
【請求項７】
実質的に１８０度に折り曲げられる該タブが、該タブ中の第１，第２の折り線を有し、該タブが該第１、第２の折り線が実質的に９０度に折り曲げられる請求項６の包装物。
【発明の詳細な説明】
発明の分野
本発明はフランジ付き製品用のキャリヤーに関する。より詳しくは、本発明は複数の接続されたフランジ付き容器用のキャリヤーに関する。
発明の背景
プリン、その他の柔らかい固体食品は一般的にプラスチック容器に入れて販売されている。容器の中身には通常、容器の上縁部から外に伸びるフランジに固定されたカバーを取り外すことにより到達できる。１個以上のその様な容器を包装するために設計されたキャリヤーは、一般的に、サイドパネル中にフランジを受け入れるためのスロットを有するラップアラウンド型である。ハンドルは、特にキャリヤーが２列の容器を含む場合、キャリヤー中に含まれていることがあり、その場合、ハンドルは通常トップパネル中の指開口部の形態を取る。これらの開口部は、飲料缶を収容するラップアラウンドキャリヤーに指開口部が設けであるのと類似の様式で容器間に配置されているので、指を開口部に指し込み、キャリヤーを持ち上げる時にトップパネルの下側に掛けることができる。
しかし、この型のキャリヤーには、容器を包装する時にある種の欠点がある。ラップアラウンドキャリヤーの製造に必要な材料の量により、製品の価値に対してキャリヤーの原価が比較的高くなる。また、フランジで接続された４個以上の単位の群で容器を供給する一般的な方法では、接続されたフランジがキャリヤーの内側への進入を妨害するので、指穴をキャリヤーハンドルとして使用することができない。
そこで、ハンドルを含むが，ラップアラウンドキャリヤーに必要な量の材料は必要としない一つのキャリヤーに、接続された複数の単位を包装することが望ましい。
発明の概要
本発明は、２列に配置された、少なくとも４個の、隣接する製品のフランジが互いに接続された類似のフランジ付き製品を収容する包装物である。フランジは、４個の製品のフランジ間に開口部がある様な形状を有する。この包装物は、トップパネルおよび対向する、折り曲げられる様に接続されたサイドパネルフラップも含む。サイドパネルフラップはスロットを含み、そのスロットを通して隣接する製品の隣接するフランジの一部が伸び、トップパネルは、製品のフランジ間の開口部と実質的に整列した指穴を含む。これによって、製品フランジの下側により包装物を持ち上げることができる。使用者の指がタブを下方に、包装物中に押し込んだ時に、隣接するフランジの下側に折れ曲がる様に、トップパネルは折り曲げられる様に接続されたタブを含むのが好ましい。
この様式で包装する様に特に設計された製品の例は食品容器であり、そのフランジは、容易に破断できる線に沿って互いに接続されている。このキャリヤーは安価であり、包装すべき容器に容易に適用できる。
本発明の上記の、および他の特徴および利点を、以下に本発明の好ましい実施態様により、さらに詳細に説明する。
【図面の簡単な説明】
図１は、本発明により包装する様に設計された型の、４個の接続された食品容器を示す図である。
図２は、図１の食品容器の包装に使用されるキャリヤーを形成するブランクの平面図である。
図３は、食品容器上に配置し、キャリヤーの形態に折り曲げるべき、図２のブランクの下平面図である。
図４は、本発明のキャリヤーにより形成された包装物を示す図である。
図５は、図４の線５−５で見た横断面図である。
図６は、図４の包装物の、指穴タブを下に折り曲げた後の状態を示す下平面図である。
図７は、図６の線７−７で見た横断面図である。
好ましい実施態様の詳細な説明
図１に関して、食品容器Ｔは、容器の上側周辺部から外に伸びるフランジＦを含む。フランジにはホイルまたは他のたわみ性で不透過性の材料からなるカバーＣが接着されているので、その一部を容易につかみ、剥して容器の中身を露出させることができる。各容器のフランジは、容易に破断し得る線１０に沿って隣接する容器のフランジに接続された直線縁部を有し、個々の容器をその群から取り外すことができる。上記の構造は従来通りである。しかし、この場合、フランジは丸くなった角部を有するので、隣接する容器のフランジ間には、接続されたフランジの周辺部で切込が形成され、４個の隣接容器のフランジ間には中央の開口部１４が形成される。
図２に関して、図１の接続された容器に使用するキャリヤーを形成するブランク１６を示す。ブランクは、好ましくは厚紙または他の、同等のたわみ性および強度を有する材料からなり、一般的に長方形の形状を有し、中央トップパネル部分１８および対向して配置されたサイドパネルフラップ２０を含んでなる。各フラップは、スリット２４により中断された折り線２２により中央部分１８に接続されている。包装された容器のフランジを受け入れるためのスロットをキャリヤーのサイドパネル中に形成する様に設計されたスリットは、スリットと折り線２２の接点における引き裂けを防止するために、好ましくは円弧状の末端を有する。湾曲したスリット２６は、その末端が、短い平行なスリット２９により折り線２８に接続しており、中央に位置する指穴を覆うタブまたはフラップ３０を形成する。ブランクの寸法は容器の寸法に合わせてあるので、対向するスリット２４同士の間の距離は、２個の接続された容器の幅の合計に実質的に等しいか、またはそれ以上であり、スリットの直線部分の長さは、少なくともフランジの直線縁部の長さに等しい。
図１の４個の接続された容器の包装物を形成するには、スリット２４が、接続されたタブの外側フランジの直線縁部に整列する様にブランクを容器の上に置く。指穴タブ３０は、接続された容器のフランジ角部間の中央開口部１４の上を覆う。最初の配置を図３の下平面図に示す。容器のフランジがブランクの折り線２２を妨害していないのが分かる。指穴タブ３０は隣接するフランジの角部により部分的に覆われているが、タブ折り線２８および平行なスリット２９により形成された首の部分は覆われていない。
次いで、サイドパネルフラップを折り線２２を中心にして折り下げ、図４に示す包装物を形成する。サイドパネル中にスリット２４により形成されたスロット３２は、関連する容器の隣接するフランジ縁部を受け入れ、それによってトップパネル１８に形成されたタブ３４は外に伸びてフランジを覆う。これらの関係は図５の断面図でも見ることができる。
タブを折り曲げた後の包装物の下側を図６に示す。タブの配置は図７の断面図にも示す。指穴タブ３０を押し下げ、折り線２８を中心にしてキャリヤーの下側に折り曲げる時、折り線およびタブの首部分は容器の構造により妨害されないので、自由にこれを行なえることが分かる。タブの一部は隣接する容器フランジの一部の上に重なるが、タブのたわみ性によりフランジ構造をすり抜けることができる。タブは、隣接する容器の本体間に適合する様な形状を有するので、隣接する容器フランジの下側に対して上向きに折ることができる。ある人が指穴により包装物を引きあげる場合、その人の指はタブ３０に掛かり、隣接する容器フランジの下側を持ち上げ、タブはフランジに掛かる。タブはフランジ縁部に対する指のクッションとなり、持ち上げ易くしている。指穴を開ける前は、タブはトップパネルに平らな空間を与え、キャリヤー上に印刷または他の表示を施すことができる。容器フランジがキャリヤースロットの末端で噛み合っているために、指穴タブを折る前にキャリヤーが容器から外れることはない。
本発明を４個の接続された容器に関連して説明したが、本発明は、５個以上の容器を含む包装物にも適用できる。例えば、他の２個の容器を追加し、それらの追加した２個の容器および隣接する２個の容器の角部が突き当たる所にもう一つの指穴を形成することができる。その様な配置では、キャリヤーに、接続された容器間の２個の開口部の上に重なる２個の指穴タブを備えることができる。
隣接する容器フランジ間における切込の形成は、フランジの角部を丸くすることに限定する必要はない。直線的な縁部により角部に単にある角度を付けるだけでも、同じ結果が得られる。直線的または湾曲した縁部により角部にある角度を付けるかに関係なく、いずれの場合も、タブをフランジの下に折り曲げた時にフランジにより妨害されない指穴タブの形状が得られる。図には示していないが、サイドパネルフラップを折り下げる前にキャリヤーが正しく容器の上に配置されていることを確認するための手段として、容器フランジ間の切込と整列する様に設計した切込をキャリヤーの一方または両方の末端に備えることもできる。
これで、本発明により、ボトムパネルを必要としないが、キャリヤーが損なわれる危険性なしに包装物を確実に持ち上げ、運ぶことができる、食品容器用の非常に経済的なキャリヤーが得られることは明らかである。本発明は、好ましい実施態様に関して説明した具体的な詳細部のすべてに限定される必要はなく、付随する請求項に規定する本発明の精神および範囲から逸脱することなく、本発明のすべての基本的な機能および概念を変えない変形を好ましい実施態様の特徴に行なうことができる。
【図１】
0003802069.tif 000002
【図２】
0003802069.tif 000003
【図３】
0003802069.tif 000004
【図４】
0003802069.tif 000005
【図５】
0003802069.tif 000006
【図６】
0003802069.tif 000007
【図７】
0003802069.tif 000008